(57)【要約】【課題】小型でしかも着脱を容易に行うことができ、しかも、エレベータ昇降路の大きさの変化に対して容易に対応することができ、汎用性を向上させることができるエレベータ用落下物捕集装置を提供する。【解決手段】エレベータガイドレール２６の単体を取り囲むように枠体３６がエレベータガイドレール２６に着脱可能に固定され、枠体３６に網体３７が設けられる。【選択図】　　　　図１
2004137026.tif 000002
【特許請求の範囲】
【請求項１】
エレベータガイドレール単体を取り囲むように前記エレベータガイドレールに着脱可能に固定される枠体と、該枠体に設けられた捕集部材とを備えていることを特徴とするエレベータ用落下物捕集装置。
【請求項２】
前記枠体は、エレベータガイドレール単体を挟持する一対の挟持片と、該一対の挟持片の対向間隔を可変する調整部材とを備えていることを特徴とするエレベータ用落下物捕集装置。
【請求項３】
前記捕集部材は、袋状の網体と、該網体の底面に設けられた重量体とを備えていることを特徴とする請求項１又は請求項２に記載のエレベータ用落下物捕集装置。
【発明の詳細な説明】
【０００１】
【発明の属する技術分野】
本発明は、エレベータ昇降路内における落下物を捕集する落下物捕集装置に関する。
【０００２】
【従来の技術】
従来から、エレベータかごとエレベータ乗り場との間には、エレベータかごの昇降時に揺れが発生した場合、その揺れを許容してエレベータかごが建物構造体（エレベータ乗り場）にぶつかることを防止するため、若干の隙間が設けられている。
【０００３】
一方、エレベータ乗り場とエレベータかごとの間での乗降時に、誤って小物を落としてしまったり床面に落ちていた小物を蹴ってしまった際に、その小物が上述した隙間から落ちてしまうことを防止するため、落下物を捕集する装置が各種提案されている（例えば、特許文献１〜特許文献３参照。）。
【０００４】
例えば、特許文献１に開示のものは、エレベーターの最下階の乗り場床とエレベーターの乗りかごとの間に形成された隙間の下側に設置され、その隙間から落下した落下物を受け止める落下物受止め板と、最下階の床下に落下物受止め板に連接して設置されて落下物受止め板を介して落下物を回収する落下物回収箱とを備えているものである。
【０００５】
また、特許文献２に開示のものは、かごの下部に設けられている回収箱と、この回収箱の乗場側端部に設けられているとともに、乗場側へ突出可能になっている可動受け部材と、かごの各階停止時に上記可動受け部材をかごと乗場との間の間隙の下方へ突出動作させるとともに、かごの昇降時には可動受け部材を回収箱側へ退避動作させる制御装置とを備えているものである。
【０００６】
さらに、特許文献３に開示のものは、相互に対向する乗場側敷居およびかご側敷居と、このかご側敷居に案内されるかご側ドアと、かご側に付勢力を受けながらかごにおけるかご側敷居より下方側に回動可能に設けられ上面が開口している受け箱と、開作動するかご側ドアによって押されると作動して受け箱を回動させる作動部材とを備え、かご側ドアが開作動すると作動部材が作動して受け箱を回動させ、この受け箱の上面を乗場側敷居とかご側敷居との間に位置させるようにしたものである。
【０００７】
【特許文献１】
特開平７−１４４８４５号公報（請求項１、図１）
【特許文献２】
特開平８−９９７８６号公報（請求項１、図２）
【特許文献３】
特開平１０−２３６７５４号公報（請求項１、図１）
【０００８】
【発明が解決しようとする課題】
ところで、上記の如く構成されたエレベータ用落下物捕集装置にあっては、いずれのものにあっても、エレベータ乗り場の床面下、或いはエレベータかご下に設置されており、上述したエレベータかごとエレベータ乗り場とで形成される隙間に対してのみ有効であった。
【０００９】
一方、例えば、エレベータの施工時においては、ボルト、ナット、ライナクリップなどの多くの小物を必要とし、これらを用いてエレベータ構造体を組み付けるのが一般的であるが、このような施工時に作業者が誤って小物を落としてしまった場合、上述した隙間のみを対象とした捕集装置では補修することができないといった問題が生じていた。
【００１０】
このような場合に、上述した各特許文献に開示のもの、例えば、エレベータかご下に配置した回収装置をエレベータかごの４辺全体に設ける等とすることも考えられるが、上述した各特許文献に開示のものは、限られた範囲、すなわち、エレベータかごの４辺周辺部分にしか捕集機能を具備させることができず、エレベータの施工時におけるボルト、ナット、ライナクリップなどの多くの小物を捕集することは困難であり、適用性に劣るものであった。
【００１１】
そこで、図４に示すように、エレベータ昇降路の全体を塞ぐようにネット等の捕集装置を取り付けることが考えられる。
【００１２】
図４において、１は建物の建築梁、２は建築梁１に固定されてエレベータ昇降路３を形成する建築ビーム、４，５は建築ビーム２に固定されたブラケット、６はクリップ７を介してブラケット４に固定された互いに対向する一対のかご用ガイドレール、８はクリップ９を介してブラケット５に固定された互いに対向する一対の重り用ガイドレール、１０はかご用ガイドレール６に案内されるエレベータかご、１１は重り用ガイドレール８に案内される釣り合い重りである。
【００１３】
エレベータの施工時や保守点検・修理時等には、エレベータ昇降路３の略全体水平方向に金網やネット等からなる捕集装置１２が設けられる。
【００１４】
この捕集装置１２は、エレベータ昇降路３の最上部から最下部の全体に取り付けることにより、各ガイドレール６，８をブラケット４，５に固定する際のボルト・ナット・ライナ（全て図示せず）或いはクリップ７，９の類の小物を取り付け（または取り外し）する際、誤って落としてしまった場合に昇降路３の外部に飛散してしまったり、エレベータ構造体に当たってそのエレベータ構造体を破損させたり、エレベータ構造体に紛れ込んでしまったりすることがないよう、捕集するものである。
【００１５】
しかしながら、このような捕集装置１２では、エレベータ昇降路３の最上部から最下部の略全長に跨って設けることから、装置全体が大型化してしまい、その取り付けおよび取り外しが困難であるうえ、施工現場への搬送等も面倒であるという問題が発生していた。
【００１６】
また、捕集装置１２をエレベータ昇降路３の開口径（水平方向）の全体に跨らせるためには、エレベータかご１０の大きさの相違（例えば、１０人乗り用と２０人乗り用）に応じて異なるエレベータ昇降路３の開口径に応じた多数種類のものを用意しなければならず、さらに建物の高さに応じたものが必要となるなど、現実には取り付け不可能であるといった問題が生じていた。
【００１７】
本発明は、上記問題を解決するため、小型でしかも着脱を容易に行うことができ、しかも、エレベータ昇降路の大きさの変化に対して容易に対応することができ、汎用性を向上させることができるエレベータ用落下物捕集装置を提供することを目的とする。
【００１８】
【課題を解決するための手段】
その目的を達成するため、本発明のエレベータ用落下物捕集装置は、エレベータガイドレール単体を取り囲むように前記エレベータガイドレールに着脱可能に固定される枠体と、該枠体に設けられた捕集部材とを備えていることを特徴とする。
【００１９】
このような構成においては、エレベータガイドレール単体を取り囲むように枠体がエレベータガイドレールに着脱可能に固定され、枠体に捕集部材が設けられる。
【００２０】
また、本発明のエレベータ用落下物捕集装置は、前記枠体は、エレベータガイドレール単体を挟持する一対の挟持片と、該一対の挟持片の対向間隔を可変する調整部材とを備えていることを特徴とする。
【００２１】
さらに、本発明のエレベータ用落下物捕集装置は、前記捕集部材は、袋状の網体と、該網体の底面に設けられた重量体とを備えていることを特徴とする。
【００２２】
【発明の実施の形態】
次に、本発明のエレベータ用落下物捕集装置の実施の形態を図面に基づいて説明する。
【００２３】
図１（Ａ）は本発明の実施の形態に係わるエレベータ用落下物捕集装置の平面図、図１（Ｂ）は固定金具の拡大平面図、図２は本発明の実施の形態に係わるエレベータ用落下物捕集装置の正面図、図３はガイドレールの配置例の説明図である。
【００２４】
図３において、２１は建物（例えば、屋外タワー等）の建築梁、２２は建築梁２１に固定されてエレベータ昇降路２３を形成する建築ビーム、２４，２５は建築ビーム２２に固定されたブラケット（ブラケット２４は一方のみ図示）、２６はクリップ２７を介してブラケット２４に固定されたガイドレール（対向する一対のうちの一方のみ図示）、２８はクリップ２９を介してブラケット２５に固定された互いに対向する一対のエレベータガイドレール、３０はエレベータガイドレール２６に案内されるエレベータかご、３１はエレベータガイドレール２８に案内される釣り合い重りである。
【００２５】
エレベータガイドレール２６，２８は、図１，図２に示すように、ブラケット２４，２５にライナ３３、クリップ３４、ボルト３５を介して固定される鍔状の固定ベース２６ａ，２８ａと、この固定ベース２６ａ，２８ａの中央から突出するレール部２６ｂ，２８ｂとで断面略Ｔ形状に形成されている。
【００２６】
捕集装置３２は、この実施の形態ではレール部２６ｂ，２８ｂを間に位置して設けられた一対の枠体３６と、枠体３６に保持された袋状の網体３７と、この網体３７の底面に固定されたナット等の比重の重い複数の重量体３８とを備えている。
【００２７】
この重量体３８は、網体３７の当分点位置若しくは角部付近に複数設けられ、これにより軟性（例えば、ナイロン製のメッシュ）を有する網体３７の保形性を確保すると共に、例えば、捕集装置３２を屋外タワー等の外付けエレベータや超高層ビル用エレベータ等に装着した場合にエレベータ昇降路２３内で発生した強風等によって網体３７が煽られたり捲れてしまうことが無いようにするものである。
【００２８】
一方、枠体３６は、平面視略矩形とされると共にその一辺中心付近に固定ベース部２６ａ，２８ａを挟持するための折り返し片３６ａが形成されている。
【００２９】
この折り返し片３６ａは、固定金具３９に溶接等により固定されている。
【００３０】
この固定金具３９は、図１（Ｂ）に示すように、平面視略コ字形状とされ、その上面（二辺）に各折り返し片３６ａが溶接等により固定される。また、固定金具３９には、操作用の頭部４０ａと、固定金具３９の一辺を貫通して先端が固定ベース部２６ａ（２８ａ）に突き当たるねじ部４０ｂとを有する調整部材４０が設けられている。
【００３１】
このような構成においては、エレベータの施工工事の際や、メンテナンスの際に、実際にライナ３３、クリップ３４、ボルト３５等を用いた取り付け（固定）作業を行う時点で、その作業箇所の下方に捕集装置３２を装着し、取り付け作業が完了したらば捕集装置３２を離脱させ、次の作業箇所での同様の捕集機能を具備させることができる。
【００３２】
この際、捕集装置３２の取り付けは、はさみ部４０ｂを頭部４０ａを操作して固定金具３９の対向間隔を狭めて強固に固定ベース部２６ａ，２８ａに枠体３６を固定するだけでよい。
【００３３】
そして、他方の枠体３６も同様に固定ベース部２６ａ，２８ａに固定した後、実際の作業を行う。
【００３４】
この際、枠体３６が廻りの物と干渉する場合は手で形状を曲げることができる。
【００３５】
なお、枠体３６は一つとし、折り返し片３６ａの一方を固定しないでエレベータガイドレール２６，２８の周囲を取り囲むようにしてもよいし、ひんじ（図示せず）をつけて開閉方式にしてもよい。
【００３６】
【発明の効果】
本発明のエレベータ用落下物捕集装置にあっては、以上説明したように構成したことにより、小型でしかも着脱を容易に行うことができ、しかも、エレベータ昇降路の大きさの変化に対して容易に対応することができ、汎用性を向上させることができる。
【図面の簡単な説明】
【図１】本発明の実施の形態に係わるエレベータ用落下物捕集装置を示し、（Ａ）はエレベータ用落下物捕集装置の平面図、（Ｂ）は固定金具の拡大平面図である。
【図２】本発明の実施の形態に係わるエレベータ用落下物捕集装置の正面図である。
【図３】エレベータガイドレールの配置例の説明図である。
【図４】従来のエレベータ用落下物捕集装置の説明図である。
【符号の説明】
２６　エレベータガイドレール、２８　エレベータガイドレール、３２　捕集装置、３６　枠体、３７　網体、３８　重量体。
【図１】
2004137026.tif 000003
【図２】
2004137026.tif 000004
【図３】
2004137026.tif 000005
【図４】
2004137026.tif 000006